【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
ユーザ入力情報入力手段と、
前記ユーザ入力情報入力手段から入力されたユーザ入力情報を検出するユーザ入力情報検出手段と、
前記ユーザ入力情報検出手段で検出された前記ユーザ入力情報の入力状況が、予め想定されている複数の入力状況のいずれであるかを特定するユーザ入力状況特定手段と、
音声情報または画像情報を入力するための時系列情報入力手段と、
前記ユーザ入力情報検出手段によって検出された前記ユーザ入力情報と、前記ユーザ入力状況特定手段によって特定されたユーザ入力状況とに基づいて、前記時系列情報入力手段よりの前記音声情報または画像情報の内の、特定の区間を決定する特定区間決定手段と、
を備える時系列情報の特定区間決定装置。
【請求項２】
ユーザ入力情報入力手段と、
前記ユーザ入力情報入力手段から入力されたユーザ入力情報を検出するユーザ入力情報検出手段と、
前記ユーザ入力情報検出手段で検出された前記ユーザ入力情報の入力状況が、予め想定されている複数の入力状況のいずれであるかを特定するユーザ入力状況特定手段と、
音声情報または画像情報を入力するための時系列情報入力手段と、
前記時系列情報入力手段からの前記音声情報または前記画像情報が、予め設定された所定の条件に合致する区間を検出する条件一致区間検出手段と、
前記ユーザ入力情報検出手段によって検出された前記ユーザ入力情報と、前記ユーザ入力状況特定手段によって特定されたユーザ入力状況と、前記条件一致区間検出手段で検出された条件一致区間とに基づいて、前記時系列情報入力手段からの前記音声情報または画像情報の内の、特定の区間を決定する特定区間決定手段と、
を備える時系列情報の特定区間決定装置。
【請求項３】
ユーザ入力情報入力手段と、
前記ユーザ入力情報入力手段から入力されたユーザ入力情報を検出するユーザ入力情報検出手段と、
前記ユーザ入力情報検出手段により検出された前記ユーザ入力情報の入力状況が、予め想定されている複数の入力状況のいずれであるかを特定するユーザ入力状況特定手段と、
音声情報または画像情報を入力するための時系列情報入力手段と、
センサからの情報を検出するためのセンサ情報検出手段と、
前記センサ情報検出手段からのセンサ情報が、予め設定された所定の条件に合致する区間を検出する条件一致区間検出手段と、
前記ユーザ入力情報検出手段によって検出された前記ユーザ入力情報と、前記ユーザ入力状況特定手段によって特定されたユーザ入力状況と、前記条件一致区間検出手段で検出された条件一致区間とに基づいて、前記時系列情報入力手段からの前記音声情報または画像情報の内の、特定の区間を決定する特定区間決定手段と、
を備える時系列情報の特定区間決定装置。
【請求項４】
請求項１、請求項２または請求項３に記載の時系列情報の特定区間決定装置において、
前記ユーザ入力情報入力手段は、ユーザ入力情報を、前記入力状況を特定可能の状態で出力するユーザ入力装置から受けるものであり、
前記ユーザ入力状況特定手段は、前記ユーザ入力情報から前記ユーザ入力状況を特定することを特徴とする時系列情報の特定区間決定装置。
【請求項５】
請求項４に記載の時系列情報の特定区間決定装置において、
前記ユーザ入力装置として、少なくとも、複数のユーザが共用で参照する共用入力装置と、各ユーザが各個に参照する個人用入力装置とが想定されており、
前記ユーザ入力状況特定手段は、少なくとも、前記ユーザ入力情報検出手段によって検出されたユーザ入力情報が、前記共用入力装置からのユーザ入力情報か、前記個人用入力装置からのユーザ入力情報かを、それぞれ特定する機能を備えるものであり、
前記特定区間決定手段は、前記ユーザ入力状況特定手段で特定された入力状況が、共用入力装置か個人用入力装置かで異なる時系列情報の区間を決定することを特徴とする時系列情報の特定区間決定装置。
【請求項６】
請求項１、請求項２、請求項３、請求項４または請求項５に記載の時系列情報の特定区間決定装置のいずれかを備えると共に、
前記時系列情報入力手段から入力された前記音声情報または前記画像情報を記憶する時系列情報記憶手段と、
前記時系列情報記憶手段に記憶された音声情報または画像情報のデータ量を圧縮する手段であって、前記時系列情報の特定区間決定装置で定められる区間と、他の区間とで、圧縮率あるいは圧縮方式を変更して、前記時系列情報記憶手段に記憶された前記音声情報または前記画像情報のデータ圧縮を行う圧縮手段と、
を備えることを特徴とする情報蓄積装置。
【請求項７】
請求項１、請求項２、請求項３、請求項４または請求項５に記載の時系列情報の特定区間決定装置のいずれかを備えると共に、
前記時系列情報入力手段から入力された前記音声情報または前記画像情報を記憶する時系列情報記憶手段と、
前記時系列情報の特定区間決定装置で決定された区間を示す区間情報と、当該区間情報に対応する前記音声情報または前記画像情報の前記時系列情報記憶手段における記憶位置との対応関係を記憶する対応関係記憶手段と、
前記時系列情報記憶手段に記憶された前記音声情報または前記画像情報のデータ量を圧縮する手段であって、前記対応関係記憶手段に記憶された区間情報によって定められる区間と、他の区間とで、圧縮率あるいは圧縮方式を変更して、前記時系列情報記憶手段に記憶された前記音声情報または画像情報のデータ圧縮を行う圧縮手段と、
を備えることを特徴とする情報蓄積装置。
【請求項８】
請求項６または請求項７に記載の情報蓄積装置おいて、
前記時系列情報の特定区間決定装置によって定められる区間の音声情報または画像情報は、前記圧縮手段により、他の区間の音声情報または画像情報よりも高品質を保つデータ圧縮を施すようにしたことを特徴とする情報蓄積装置。
【請求項９】
請求項６または請求項７に記載の情報蓄積装置おいて、
前記時系列情報の特定区間決定装置によって定められる区間以外の音声情報または画像情報は、前記圧縮手段により、前記時系列情報記憶手段から削除するようにしたことを特徴とする情報蓄積装置。
【請求項１０】
請求項１、請求項２、請求項３、請求項４または請求項５に記載の時系列情報の特定区間決定装置のいずれかを備えると共に、
前記音声情報または画像情報を一時記憶する一時記憶手段と、
前記一時記憶手段に一時記憶された音声情報または画像情報のうちの、前記時系列情報の特定区間決定装置により定められる区間の音声情報または画像情報を、前記ユーザ入力情報検出手段で検出されたユーザ入力情報に対応する情報として記憶する時系列情報記憶手段と、
前記時系列情報の特定区間決定装置により定められる区間の区間情報と、当該区間に対応する前記音声情報または画像情報の前記一時記憶手段における記憶位置との対応関係を記憶する対応関係記憶手段と、
前記一時記憶手段に記憶された前記音声情報または前記画像情報の内の、前記時系列情報記憶手段に記憶する前記音声情報または前記画像情報のデータ量を圧縮する手段であって、前記対応関係記憶手段に記憶されている前記時系列情報の特定区間決定装置によって定められる区間と、他の区間とで、圧縮率あるいは圧縮方式を変更して、前記音声情報または前記画像情報のデータ圧縮を行う圧縮手段と、
を備えることを特徴とする情報蓄積装置。
【請求項１１】
請求項１０に記載の情報蓄積装置において、
前記時系列情報記憶手段に記憶される前記音声情報または画像情報は、前記ユーザ入力情報検出手段で前記ユーザ入力情報が検出されたときに、前記一時記憶手段に一時記憶された前記音声情報または画像情報のうち、前記ユーザ入力情報が検出された時点以前の前記条件一致区間検出手段で検出された区間の少なくとも先頭の時点からの前記音声情報または画像情報であることを特徴とする情報蓄積装置。
【請求項１２】
請求項１０に記載の情報蓄積装置において、
前記時系列情報の特定区間決定装置によって定められる区間の音声情報または画像情報は、前記圧縮手段により、他の区間の音声情報または画像情報よりも高品質を保つデータ圧縮を施すようにしたことを特徴とする情報蓄積装置。
【請求項１３】
請求項１、請求項２、請求項３、請求項４または請求項５に記載の時系列情報の特定区間決定装置のいずれかを備えると共に、
前記時系列情報入力手段から入力された前記音声情報または前記画像情報を記憶する時系列情報記憶手段と、
前記ユーザ入力情報検出手段で検出された前記ユーザ入力情報を表示画面に表示する表示手段と、
前記ユーザ入力情報と、前記ユーザ入力情報の前記表示画面上の表示位置を特定するための情報と、前記ユーザ入力情報のそれぞれについて、前記時系列情報の特定区間決定装置により定められた区間に対応する前記音声情報または画像情報の前記時系列情報記憶手段における記憶位置との対応関係を記憶する対応関係記憶手段と、
前記表示画面に表示されたユーザ入力情報に関連する表示部分を指定する指定手段と、
前記指定手段により指定されたユーザ入力情報によって特定される、前記対応関係記憶手段に記憶されている前記時系列情報記憶手段における記憶位置に基づいて特定される区間の音声情報または画像情報を再生する再生手段と、
を具備することを特徴とする情報蓄積装置。
【請求項１４】
請求項６〜請求項１２のいずれかに記載の情報蓄積装置において、
前記音声情報または画像情報が前記時系列情報記憶手段に記憶された時刻を示す時刻情報を記憶する時刻情報記憶手段をさらに具備し、
前記圧縮手段は、前記時刻情報記憶手段に記憶された前記時刻情報によって定められる時刻からの経過時間が、予め定められた時間を過ぎた時に前記圧縮処理を実行することを特徴とする情報蓄積装置。
【請求項１５】
請求項６〜請求項１２のいずれかに記載の情報蓄積装置において、
前記圧縮手段は、前記時系列情報記憶手段における空き領域がある値以下になったと認識されたとき、または、前記時系列情報記憶手段における記憶量がある値以上になったと認識されたときに、前記圧縮処理を実行することを特徴とする情報蓄積装置。
【請求項１６】
請求項６〜請求項１２のいずれかに記載の情報蓄積装置において、
前記条件一致区間検出手段は、前記音声情報において、音声の特定の発信者または発信者の交替を検出し、その検出結果に基づいて前記条件一致区間の開始点または終了点を検出することを特徴とする情報蓄積装置。
【請求項１７】
請求項６〜請求項１２のいずれかに記載の情報蓄積装置において、
前記条件一致区間検出手段は、前記センサ情報において、音声の特定の発信者または発信者の交替を検出し、その検出結果に基づいて前記条件一致区間の開始点または終了点を検出することを特徴とする情報蓄積装置。
【請求項１８】
ユーザ入力情報入力手段と、
前記ユーザ入力情報入力手段から入力されたユーザ入力情報を検出するユーザ入力情報検出手段と、
前記ユーザ入力情報検出手段で検出された前記ユーザ入力情報の入力状況が、予め想定されている複数の入力状況のいずれであるかを特定するユーザ入力状況特定手段と、
前記ユーザ入力情報検出手段で検出された前記ユーザ入力情報と、前記ユーザ入力情報の入力時間に関する情報と、前記ユーザ入力情報に関して前記ユーザ入力状況特定手段で特定された入力状況とを記録するユーザ入力情報記録手段と、
音声情報または画像情報の時系列情報を入力するための時系列情報入力手段と、
前記時系列情報入力手段から入力された前記音声情報または前記画像情報を記録する時系列情報記録手段と、
前記ユーザ入力情報記録手段に記録された前記ユーザ入力情報を表示する表示手段と、
前記表示手段により表示された前記ユーザ入力情報のうちの一つを選択指示する指定手段と、
前記指定手段により指定された前記ユーザ入力情報の、少なくとも、入力時間に関する情報と、前記入力状況とに基づいて、前記時系列情報入力手段よりの前記音声情報または画像情報の内の、特定の区間を決定する特定区間決定手段と、
前記時系列情報記録手段に記録されている前記時系列情報のうちの、前記特定区間決定手段により決定された特定の区間に対応する前記時系列情報を再生する時系列情報再生手段と、
を備えることを特徴とする情報蓄積再生装置。
【請求項１９】
請求項１８に記載の情報蓄積再生装置において、
前記時系列情報入力手段からの前記音声情報または前記画像情報が、予め設定された所定の条件に合致する区間を検出する条件一致区間検出手段を設け、
前記特定区間決定手段は、前記指定手段により指定された前記ユーザ入力情報の、少なくとも、入力時間に関する情報と、前記入力状況と、前記条件一致区間の情報とに基づいて前記時系列情報入力手段よりの前記音声情報または画像情報の内の、特定の区間を決定することを特徴とする情報蓄積再生装置。
【請求項２０】
請求項１８に記載の情報蓄積再生装置において、
センサからの情報を検出するためのセンサ情報検出手段と、
前記センサ情報検出手段からのセンサ情報が、予め設定された所定の条件に合致する区間を検出する条件一致区間検出手段と、
前記特定区間決定手段は、前記指定手段により指定された前記ユーザ入力情報の、少なくとも、入力時間に関する情報と、前記入力状況と、前記条件一致区間の情報とに基づいて前記時系列情報入力手段よりの前記音声情報または画像情報の内の、特定の区間を決定することを特徴とする情報蓄積再生装置。
【請求項２１】
ユーザ入力情報入力手段と、
前記ユーザ入力情報入力手段から入力されたユーザ入力情報を検出するユーザ入力情報検出手段と、
前記ユーザ入力情報検出手段で検出された前記ユーザ入力情報の入力状況が、予め想定されている複数の入力状況のいずれであるかを特定するユーザ入力状況特定手段と、
前記ユーザ入力情報検出手段で検出された前記ユーザ入力情報と、前記ユーザ入力情報の入力時間に関する情報と、前記ユーザ入力情報に関して前記ユーザ入力状況特定手段で特定された入力状況とを記録するユーザ入力情報記録手段と、
音声情報または画像情報の時系列情報を入力するための時系列情報入力手段と、
前記時系列情報入力手段からの前記音声情報または前記画像情報が、予め設定された所定の条件に合致する区間を検出する条件一致区間検出手段と、
前記時系列情報入力手段から入力された前記音声情報または前記画像情報と、前記条件一致区間検出手段で検出された条件一致区間の情報とを記録する時系列情報記録手段と、
前記ユーザ入力情報記録手段に記録された前記ユーザ入力情報を表示画面に表示する表示手段と、
前記表示手段により表示された前記ユーザ入力情報のうちの一つを選択指示する指定手段と、
前記指定手段により指定された前記ユーザ入力情報の、少なくとも、前記入力時間に関する情報と、前記入力状況とに基づいて、前記時系列情報入力手段よりの前記音声情報または画像情報の内の、特定の区間を決定する特定区間決定手段と、
前記時系列情報記録手段に記録されている前記時系列情報のうちの、前記特定区間決定手段により決定された特定の区間内の前記条件一致区間を示すチャートを、前記表示画面に表示するために生成するチャート生成手段と、
を備えることを特徴とする情報蓄積再生装置。
【請求項２２】
請求項２１に記載の情報蓄積再生装置において、
前記チャート生成手段で生成され、前記表示手段により表示された前記チャートから、いずれかの条件一致区間を指定する指定手段と、
前記時系列情報記録部に記録されている前記時系列情報のうちの、前記指定手段で指定された条件一致区間に対応する時系列情報を再生する時系列情報再生手段と、
を備えることを特徴とする情報蓄積再生装置。
【請求項２３】
請求項１８〜請求項２２のいずれかに記載の情報蓄積再生装置において、
前記ユーザ入力状況特定手段は、前記時系列情報に基づいて前記ユーザ入力情報が検出されたときの入力状況を特定することを特徴とする情報蓄積再生装置。
【請求項２４】
請求項１８〜請求項２２のいずれかに記載の情報蓄積再生装置において、
前記時系列情報記録手段に記録されている前記時系列情報を再生し、前記ユーザ入力情報記録手段に記録されている前記ユーザ入力情報のそれぞれに対応する前記時系列情報の特定区間をユーザが設定する手段を設け、
前記特定区間決定手段は、前記ユーザにより設定された前記時系列情報の特定区間の前記ユーザ入力情報の入力時間に対する相対時間と、前記ユーザ入力情報の検出時点における前記入力状況との関係の確率情報を保持すると共に、指定された確率に基づいて、前記入力状況に応じた前記特定の区間を決定することを特徴とする情報蓄積再生装置。
【請求項２５】
請求項２４に記載の情報蓄積再生装置において、前記ユーザにより設定された前記時系列情報の特定区間の前記ユーザ入力情報の入力時間に対する相対時間と、前記ユーザ入力情報の検出時点における前記入力状況との関係の確率情報を、ユーザに報知する手段を備えることを特徴とする情報蓄積再生装置。
【請求項２６】
前記特定区間決定手段は、前記想定されている複数の入力状況のそれぞれに対応して予め設定された、前記ユーザ入力情報の入力時間に対する前記特定区間を決定するときに用いる相対時間の情報を保持していることを特徴とする請求項１８〜請求項２２に記載の情報蓄積再生装置。
【請求項２７】
ユーザ入力情報入力手段と、
前記ユーザ入力情報入力手段から入力されたユーザ入力情報を検出するユーザ入力情報検出手段と、
前記ユーザ入力情報検出手段で検出された前記ユーザ入力情報と、前記ユーザ入力情報の入力時間に関する情報とを記録するユーザ入力情報記録手段と、
音声情報または画像情報の時系列情報を入力するための時系列情報入力手段と、
前記時系列情報入力手段から入力された前記音声情報または前記画像情報を記録する時系列情報記録手段と、
前記ユーザ入力情報記録手段に記録された前記ユーザ入力情報を表示する表示手段と、
前記表示手段により表示された前記ユーザ入力情報のうちの一つを選択指示する指定手段と、
前記指定手段により指定された前記ユーザ入力情報の、少なくとも、入力時間に関する情報に基づいて、前記時系列情報入力手段よりの前記音声情報または画像情報の内の、特定の区間を決定する特定区間決定手段と、
前記特定区間決定手段により特定された区間を、前記指定手段で選択指示された前記ユーザ入力情報の直前のユーザ入力情報の入力時刻に基づいて補正する特定区間補正手段と、
前記時系列情報記録部に記録されている前記時系列情報のうちの、前記特定区間決定手段により決定された特定の区間に対応する前記時系列情報を再生する時系列情報再生手段と、
を備えることを特徴とする情報蓄積再生装置。
【請求項２８】
請求項２７に記載の情報蓄積再生装置において、
前記ユーザ入力情報検出手段で検出された前記ユーザ入力情報の入力状況が、予め想定されている複数の入力状況のいずれであるかを特定するユーザ入力状況特定手段を設けるとともに、
前記ユーザ入力情報記録手段には、前記ユーザ入力情報検出手段で検出された前記ユーザ入力情報と、このユーザ入力情報の入力時間に関する情報と、このユーザ入力情報に関して前記ユーザ入力状況特定手段で特定された入力状況とを記録し、
前記特定区間決定手段は、前記指定手段により指定された前記ユーザ入力情報の、少なくとも、入力時間に関する情報と、前記入力状況とに基づいて、前記時系列情報入力手段よりの前記音声情報または画像情報の内の、特定の区間を決定する
ことを特徴とする情報蓄積再生装置。
【請求項２９】
請求項２７または請求項２８に記載の情報蓄積再生装置において、
前記特定区間決定手段により決定された前記特定区間の時系列情報を視覚的に表現するチャートを作成するチャート作成手段を具備することを特徴とする情報蓄積再生装置。
【請求項３０】
ユーザ入力情報入力手段から入力されたユーザ入力情報を検出するユーザ入力情報検出工程と、
前記ユーザ入力情報検出工程で検出された前記ユーザ入力情報の入力状況が、予め想定されている複数の入力状況のいずれであるかを特定するユーザ入力状況特定工程と、
前記ユーザ入力情報検出工程において検出された前記ユーザ入力情報と、前記ユーザ入力状況特定工程において特定されたユーザ入力状況とに基づいて、音声情報または画像情報を入力するための時系列情報入力手段よりの前記音声情報または画像情報の内の、特定の区間を決定する特定区間決定工程と、
を備える時系列情報の特定区間決定方法。
【請求項３１】
ユーザ入力情報入力手段から入力されたユーザ入力情報を検出するユーザ入力情報検出工程と、
前記ユーザ入力情報検出工程で検出された前記ユーザ入力情報の入力状況が、予め想定されている複数の入力状況のいずれであるかを特定するユーザ入力状況特定工程と、
音声情報または画像情報を入力するための時系列情報入力手段からの前記音声情報または前記画像情報が、予め設定された所定の条件に合致する区間を検出する条件一致区間検出工程と、
前記ユーザ入力情報検出工程において検出された前記ユーザ入力情報と、前記ユーザ入力状況特定工程において特定されたユーザ入力状況と、前記条件一致区間検出工程で検出された条件一致区間とに基づいて、前記時系列情報入力手段からの前記音声情報または画像情報の内の、特定の区間を決定する特定区間決定工程と、
を備える時系列情報の特定区間決定方法。
【請求項３２】
ユーザ入力情報入力手段から入力されたユーザ入力情報を検出するユーザ入力情報検出工程と、
前記ユーザ入力情報検出工程において検出された前記ユーザ入力情報の入力状況が、予め想定されている複数の入力状況のいずれであるかを特定するユーザ入力状況特定工程と、
センサからの情報を検出するためのセンサ情報検出手段からのセンサ情報が、予め設定された所定の条件に合致する区間を検出する条件一致区間検出工程と、
前記ユーザ入力情報検出工程において検出された前記ユーザ入力情報と、前記ユーザ入力状況特定工程において特定されたユーザ入力状況と、前記条件一致区間検出手段で検出された条件一致区間とに基づいて、音声情報または画像情報を入力するための時系列情報入力手段からの前記音声情報または画像情報の内の、特定の区間を決定する特定区間決定工程と、
を備える時系列情報の特定区間決定方法。
【請求項３３】
ユーザ入力情報入力手段から入力されたユーザ入力情報を検出するユーザ入力情報検出工程と、
前記ユーザ入力情報検出工程で検出された前記ユーザ入力情報の入力状況が、予め想定されている複数の入力状況のいずれであるかを特定するユーザ入力状況特定工程と、
前記ユーザ入力情報検出工程において検出された前記ユーザ入力情報と、前記ユーザ入力情報の入力時間に関する情報と、前記ユーザ入力情報に関して前記ユーザ入力状況特定工程で特定された入力状況とを記録するユーザ入力情報記録工程と、
音声情報または画像情報の時系列情報を入力するための時系列情報入力手段から入力された前記音声情報または前記画像情報を記録する時系列情報記録工程と、
前記ユーザ入力情報記録工程において記録された前記ユーザ入力情報を表示する表示工程と、
前記表示工程において表示された前記ユーザ入力情報のうちの一つを選択指示する指定手段により指定された前記ユーザ入力情報の、少なくとも、入力時間に関する情報と、前記入力状況とに基づいて、前記時系列情報入力手段よりの前記音声情報または画像情報の内の、特定の区間を決定する特定区間決定工程と、
前記時系列情報記録工程で記録された前記時系列情報のうちの、前記特定区間決定工程において決定された特定の区間に対応する前記時系列情報を再生する時系列情報再生工程と、
を備えることを特徴とする情報蓄積再生方法。
【請求項３４】
ユーザ入力情報入力手段から入力されたユーザ入力情報を検出するユーザ入力情報検出工程と、
前記ユーザ入力情報検出工程で検出された前記ユーザ入力情報の入力状況が、予め想定されている複数の入力状況のいずれであるかを特定するユーザ入力状況特定工程と、
前記ユーザ入力情報検出工程で検出された前記ユーザ入力情報と、前記ユーザ入力情報の入力時間に関する情報と、このユーザ入力情報に関して前記ユーザ入力状況特定工程で特定された入力状況とを記録するユーザ入力情報記録工程と、
音声情報または画像情報の時系列情報を入力するための時系列情報入力手段からの前記音声情報または前記画像情報が、予め設定された所定の条件に合致する区間を検出する条件一致区間検出工程と、
前記時系列情報入力手段から入力された前記音声情報または前記画像情報と、前記条件一致区間検出工程で検出された条件一致区間の情報とを記録する時系列情報記録工程と、
前記ユーザ入力情報記録工程において記録された前記ユーザ入力情報を表示画面に表示する表示工程と、
前記表示画面に表示された前記ユーザ入力情報のうちの一つを選択指示する指定手段により指定された前記ユーザ入力情報の、少なくとも、前記入力時間に関する情報と、前記入力状況とに基づいて、前記時系列情報入力手段よりの前記音声情報または画像情報の内の、特定の区間を決定する特定区間決定工程と、
前記時系列情報記録工程において記録された前記時系列情報のうちの、前記特定区間決定工程において決定された特定の区間内の前記条件一致区間を示すチャートを、前記表示画面に表示するために生成するチャート生成工程と、
を備えることを特徴とする情報蓄積再生方法。
【請求項３５】
ユーザ入力情報入力手段から入力されたユーザ入力情報を検出するユーザ入力情報検出工程と、
前記ユーザ入力情報検出工程で検出された前記ユーザ入力情報と、このユーザ入力情報の入力時間に関する情報とを記録するユーザ入力情報記録工程と、
音声情報または画像情報の時系列情報を入力するための時系列情報入力手段から入力された前記音声情報または前記画像情報を記録する時系列情報記録工程と、
前記ユーザ入力情報記録工程において記録された前記ユーザ入力情報を表示画面に表示する表示工程と、
前記表示工程で表示画面に表示された前記ユーザ入力情報のうちの一つを選択指示する指定手段により指定された前記ユーザ入力情報の、少なくとも、入力時間に関する情報に基づいて、前記時系列情報入力手段よりの前記音声情報または画像情報の内の、特定の区間を決定する特定区間決定工程と、
前記特定区間決定工程において特定された区間を、前記指定手段で選択指示された前記ユーザ入力情報の直前のユーザ入力情報の入力時刻に基づいて補正する特定区間補正工程と、
前記時系列情報記録工程で記録された前記時系列情報のうちの、前記特定区間決定工程において決定された特定の区間に対応する前記時系列情報を再生する時系列情報再生工程と、
を備えることを特徴とする情報蓄積再生方法。
【手続補正２】
【補正対象書類名】明細書
【補正対象項目名】発明の名称
【補正方法】変更
【補正の内容】
【発明の名称】時系列情報の特定区間決定装置、時系列情報の特定区間決定方法、情報蓄積装置、情報蓄積方法、情報蓄積再生装置および情報蓄積再生方法
【手続補正３】
【補正対象書類名】明細書
【補正対象項目名】０００１
【補正方法】変更
【補正の内容】
【０００１】
【発明の属する技術分野】
この発明は、例えば会議録記録システムや取材記録システムのように、会議や取材での会話音声、会議や取材風景の画像と、それらに関係する会議メモや取材メモなどの情報を記憶蓄積する装置および方法に関する。